(57)【要約】【課題】電源供給をポール本体に付設されたボックス内のコンセントから簡単に受けることができ、その際の配線工事も容易となり、しかも、同配線は露出することがなく保護されて安全な電線引込ポールを提供する。【解決手段】上端付近に電線引込口１を有する中空状のポール本体２と、このポール本体２の中程に連通接続されて付設されるボックス３と、を備えた電線引込ポールにおいて、ボックス３内にコンセント４を収容設置し、電線引込口１から引き込まれた主電線５を分岐して、一方の分岐線６ａをこのコンセント４に接続し、他方の分岐線６ｂを屋内配線７へと導出配線し、同コンセント４にプラグ８でもって接続される引出線９を外部へと引き出す電線引出口１０をポール本体２又はボックス３に形成した。【選択図】　　　　　図１
2004088854.tif 000002
【特許請求の範囲】
【請求項１】
上端付近に電線引込口を有する中空状のポール本体と、このポール本体の中程に連通接続されて付設されるボックスと、を備えた電線引込ポールであって、ボックス内にコンセントを収容設置し、電線引込口から引き込まれた主電線を分岐して、一方の分岐線をこのコンセントに接続し、他方の分岐線を屋内配線へと導出配線し、同コンセントにプラグでもって接続される引出線を外部へと引き出す電線引出口をポール本体又はボックスに形成してなる電線引込ポール。
【請求項２】
ボックス内に電力量計を収容設置し、主電線を同電力量計を経由した後に分岐させたことを特徴とする請求項１記載の電線引込ポール。
【請求項３】
ボックス内に主幹ブレーカと分岐ブレーカを収容設置し、主電線を電力量計から同主幹ブレーカを経由した後に分岐させ、一方の分岐線を同分岐ブレーカを介してコンセントに接続したことを特徴とする請求項２記載の電線引込ポール。
【請求項４】
ポール本体の中程周壁にポール側開口を形成し、ボックスの外殻壁にボックス側開口を形成し、同ポール側開口とボックス側開口とをパッキン部材を介して密閉状に連通接続させたことを特徴とする請求項１〜３のいずれか一つに記載の電線引込ポール。
【請求項５】
ポール本体の上部周壁に電線引出口を形成し、引出線をボックス内から同ポール本体内を導通させて同電線引出口から外部へと引き出し、この引き出された引出線を同ポール本体の上部に取り付けた外付機器に接続したことを特徴とする請求項１〜４のいずれか一つに記載の電線引込ポール。
【請求項６】
電線引出口にノックアウト孔を有するキャップを付設して閉塞し、引出線を同ノックアウト孔から外部へと引き出したことを特徴とする請求項５記載の電線引込ポール。
【発明の詳細な説明】
【０００１】
【発明の属する技術分野】
本発明は、電源線や情報線等の電線を住宅敷地内に引き込むために立設される電線引込ポールに関するものである。
【０００２】
【従来の技術】
従来、図７に示す如く、住宅敷地内に防犯用カメラやセンサーライト等の外付機器１６を設置する場合、同敷地内の地表Ｇに支柱２７を立設し、この支柱２７の上部に同外付機器１６を取り付けていた。この場合、外付機器１６から導出される機器用電線２８は、支柱２７に沿って垂下され、地中埋設配線１９を介し屋内配線７のコンセント４にプラグ８でもって接続されている。
【０００３】
又、住宅敷地外から引き込まれる主電線５は、建物Ｈの外壁に取り付けられた電力量計１１を介して屋内配線７に接続されている。そして、屋内配線７では、分電盤２０が設けられ、この分電盤２０に設けられる主幹ブレーカ１２ａ及び複数の分岐ブレーカ１２ｂを介して複数のコンセント４が配設されており、このコンセント４の一つに前記機器用電線２８と地中埋設配線１９を介して連結されるプラグ８が接続されている。
【０００４】
しかしながら、この場合、住宅敷地内に外付機器１６を取り付け支持するためだけの支柱２７を立設しなければならず、この支柱２７は、同外付機器１６が防犯用カメラやセンサーライト等であって人の手が容易には届かない高所に取り付けなければならないものであることから、相当の高さを有する必要があり、困難な工事を伴うものであった。又、外付機器１６へと電源供給するために、地中埋設配線１９を要し、情報線等も地中配線となるため、地表Ｇ下に配線用配管を設けたりする必要があって、配線工事が困難となるものであった。
【０００５】
他方、図８に示す如く、上端付近に電線引込口１を有する中空状のポール本体２と、このポール本体２の中程に連通接続されて付設されるボックス３と、を備えた電線引込ポールが知られている。この電線引込ポールは、特開昭５９−８９５１４号公報に開示されたものである。
【０００６】
この場合、ボックス３内には電力量計１１が収容設置されており、電線引込口１から引き込まれた主電線５は、同電力量計１１を介し送電線２９として屋内配線へと導出配線される。又、ポール本体２の中程周壁にポール側開口１３が形成され、ボックス３の外殻壁にボックス側開口１４が形成され、同ポール側開口１３とボックス側開口１４とがパッキン部材１５を介し密閉状に連通接続されて、このボックス３は同ポール本体２の中程に取付具２３を介して取り付け支持されている。
【０００７】
したがって、この電線引込ポールにおいては、ポール本体２やボックス３から送電線２９を引き出すことなく屋内配線へと配線することができるため、電線の保護が完全になると共に外観の向上を実現でき、電線の節約も達成し得るようになる。しかしながら、この場合に、図９に示す如く、前記の場合と同様に、ポール本体２の上部に防犯用カメラやセンサーライト等の外付機器１６を取り付け支持させたとすると、次のような問題が発生する。
【０００８】
すなわち、前記の場合と同様に、外付機器１６へと電源供給するために、送電線２９用の地中埋設配線１９ａとは別に地中埋設配線１９ｂを要し、情報線等も地中配線となり、地表Ｇ下に配線用配管を設けたりする必要があって、配線工事が困難となるものであった。又、外付機器１６から導出される機器用電線２８が、支柱２７に沿い垂下されて露出し、この機器用電線２８が故意に切断されると、防犯用機器である同外付機器１６の機能が発揮されなくなってしまうものであった。
【０００９】
【発明が解決しようとする課題】
本発明は、上記従来の技術における問題を悉く解決するために発明されたもので、その課題は、住宅敷地内へと主電線を引き込んで屋内へと配線するためのボックス付のポール本体を有効に利用して、このポール本体に防犯用等の外付機器を取り付け支持させることができ、この外付機器への電源供給を屋内配線からではなく同ポール本体に付設されたボックス内から簡単に受けることができ、その際の配線工事も容易となり、しかも、同配線は露出することがなく保護され切断されるようなこともなくて安全であり、又、必要に応じて同ボックス内からの電源供給を外付機器以外にも活用することができる使い勝手の良い電線引込ポールを提供することである。
【００１０】
【課題を解決するための手段】
本発明の請求項１記載の電線引込ポールは、上端付近に電線引込口を有する中空状のポール本体と、このポール本体の中程に連通接続されて付設されるボックスと、を備えた電線引込ポールであって、ボックス内にコンセントを収容設置し、電線引込口から引き込まれた主電線を分岐して、一方の分岐線をこのコンセントに接続し、他方の分岐線を屋内配線へと導出配線し、同コンセントにプラグでもって接続される引出線を外部へと引き出す電線引出口をポール本体又はボックスに形成してなる。
【００１１】
したがって、この場合、電線引込口から引き込まれた主電線の分岐された一方の分岐線がボックス内に収容設置されたコンセントに接続され、このコンセントにプラグでもって接続される引出線を外部へと引き出す電線引出口がポール本体又はボックスに形成されているので、同ポール本体に防犯用等の外付機器を取り付け支持させることができるのはもちろんのこと、この外付機器への電源供給を同電線引出口から引き出される引出線が同外付機器に接続されていることで、同コンセントからプラグを介して簡単に受けることができる。
【００１２】
更に、前記コンセントからは、必要に応じて別途プラグを介し前記外付機器以外にも電源供給することが可能であり、使い勝手は良好となる。又、前記引出線の電線引出口から引き出される部分以外の電線は、ポール本体或いはボックスの内部に納められるので、ほとんどの配線が露出せず、保護され切断されるようなこともなくて安全である。しかも、前記主電線の分岐された他方の分岐線は屋内配線へと導出配線されるので、住宅敷地内へと同主電線を引き込んで屋内へと配線することができ、その際、ボックス内に電源となるコンセントを備えていることで、前記外付機器等への電源供給を屋内配線から受ける必要はなく、配線工事が容易となる。
【００１３】
本発明の請求項２記載の電線引込ポールは、上記請求項１記載の電線引込ポールにおいて、ボックス内に電力量計を収容設置し、主電線を同電力量計を経由した後に分岐させたことを特徴とする。
【００１４】
したがって、この場合は特に、ボックス内に収容設置される電力量計を経由した後に主電線が分岐されているので、屋内での使用電力量に加え、同ボックス内のコンセントから電源供給して使用される電力量をも同電力量計で合わせて計測され、住宅居住者として全体の使用電力を一つの電力量計で正確に把握することができて便利である。
【００１５】
本発明の請求項３記載の電線引込ポールは、上記請求項２記載の電線引込ポールにおいて、ボックス内に主幹ブレーカと分岐ブレーカを収容設置し、主電線を電力量計から同主幹ブレーカを経由した後に分岐させ、一方の分岐線を同分岐ブレーカを介してコンセントに接続したことを特徴とする。
【００１６】
したがって、この場合は特に、前記電力量計からボックス内に収容設置される主幹ブレーカを経由した後に主電線が分岐されているので、屋内配線及び同ボックス内のコンセントでの使用電力オーバーを防止することができ、しかも、一方の分岐線は同ボックス内に収容設置される分岐ブレーカを介して同コンセントに接続されているので、このコンセントでの使用電力オーバーを予備的に防止することができてより安全となる。
【００１７】
本発明の請求項４記載の電線引込ポールは、上記請求項１〜３のいずれか一つに記載の電線引込ポールにおいて、ポール本体の中程周壁にポール側開口を形成し、ボックスの外殻壁にボックス側開口を形成し、同ポール側開口とボックス側開口とをパッキン部材を介して密閉状に連通接続させたことを特徴とする。
【００１８】
したがって、この場合は特に、ポール側開口とボックス側開口とがパッキン部材を介して密閉状に連通接続されているので、ポール本体及びボックスの各内部へは雨水が侵入し難くなって、同内部での漏電やショートは防止され、安全性がより向上される。
【００１９】
本発明の請求項５記載の電線引込ポールは、上記請求項１〜４のいずれか一つに記載の電線引込ポールにおいて、ポール本体の上部周壁に電線引出口を形成し、引出線をボックス内から同ポール本体内を導通させて同電線引出口から外部へと引き出し、この引き出された引出線を同ポール本体の上部に取り付けた外付機器に接続したことを特徴とする。
【００２０】
したがって、この場合は特に、ポール本体の上部周壁に電線引出口が形成されているので、引出線をボックス内から同ポール本体内を導通させて同電線引出口から外部へと引き出し、この引き出された引出線を同ポール本体の上部に取り付けた外付機器に接続させておくことができる。しかも、ポール本体の上部に外付機器が取り付けられ、この外付機器への引出線はそのほとんどが同ポール本体内に納められるので、同外付機器が防犯用であるときに安全で有効となる。
【００２１】
本発明の請求項６記載の電線引込ポールは、上記請求項５記載の電線引込ポールにおいて、電線引出口にノックアウト孔を有するキャップを付設して閉塞し、引出線を同ノックアウト孔から外部へと引き出したことを特徴とする。
【００２２】
したがって、この場合は特に、電線引出口がキャップで閉塞されて防水性は確保され、前記引出線を引き出す際に、同キャップのノックアウト孔を開口させてこのノックアウト孔から同引出線を外部へと容易に引き出すことができる。
【００２３】
【発明の実施の形態】
図１〜５は、本発明の請求項１〜６全てに対応した一実施形態である電線引込ポールを示している。この実施形態の電線引込ポールは、上端付近に電線引込口１を有する中空状のポール本体２と、このポール本体２の中程に連通接続されて付設されるボックス３と、を備えている。そして、このような電線引込ポールにおいて、ボックス３内にコンセント４を収容設置し、電線引込口１から引き込まれた主電線５を分岐して、一方の分岐線６ａをこのコンセント４に接続し、他方の分岐線６ｂを屋内配線７へと導出配線し、同コンセント４にプラグ８でもって接続される引出線９を外部へと引き出す電線引出口１０をポール本体２又はボックス３に形成した（この実施形態ではポール本体２に形成している）ものである。
【００２４】
又、この電線引込ポールでは、ボックス３内に電力量計１１を収容設置し、主電線５を同電力量計１１を経由した後に分岐させている。更に、ボックス３内に主幹ブレーカ１２ａと分岐ブレーカ１２ｂを収容設置し、主電線５を電力量計１１から同主幹ブレーカ１２ａを経由した後に分岐させ、一方の分岐線６ａを同分岐ブレーカ１２ｂを介してコンセント４に接続している。又、ポール本体２の中程周壁２ａにポール側開口１３を形成し、ボックス３の外殻壁３ａにボックス側開口１４を形成し、同ポール側開口１３とボックス側開口１４とをパッキン部材１５を介して密閉状に連通接続させてもいる。
【００２５】
又、この電線引込ポールにおいては、ポール本体２の上部周壁２ａに電線引出口１０を形成し、引出線９をボックス３内から同ポール本体２内を導通させて同電線引出口１０から外部へと引き出し、この引き出された引出線９を同ポール本体２の上部に取り付けた外付機器１６に接続している。この場合、電線引出口１０にノックアウト孔１７を有するキャップ１８を付設して閉塞し、引出線９を同ノックアウト孔１７から外部へと引き出してもいる。
【００２６】
以下、この実施形態の電線引込ポールについて、より詳細に説明する。図１に示す如く、ポール本体２は住宅敷地内の地表Ｇに立設され、同ポール本体２の上端部付近に防犯用カメラである外付機器１６が取り付け支持されていて、この外付機器１６は人の手が容易には届かない高所に位置して安全である。外付機器１６としては、防犯用カメラの他、センサーライト等であっても良い。又、主電線５から分岐された他方の分岐線６ｂは、ポール本体２の下端部から導出され、地中埋設配線１９を介して建物Ｈ内の屋内配線７へと配線されている。屋内配線７では、分電盤２０が設けられ、この分電盤２０に設けられる主幹ブレーカ１２ａ及び複数の分岐ブレーカ１２ｂを介して複数のコンセント４が配設されている。
【００２７】
ポール本体２は円筒形状で、図２〜５に示す如く、その正面側の周壁２ａにボックス３及び外付機器１６が付設されている。ボックス３は縦長の矩形箱状で、箱本体２１とこの箱本体２１の正面側開口を開閉するカバー蓋体２２とでなり、このカバー蓋体２２を開閉して同ボックス３の内部の機器を観測したり点検したりすることができる。箱本体２１の底板となる外殻壁３ａが取付具２３を介してポール本体２の周壁２ａに取り付けられることで、同ポール本体２の上下高さ方向中程位置にボックス３は支持されている。
【００２８】
その際、ポール本体２の周壁２ａに形成されたポール側開口１３に、ボックス３の箱本体２１の底板に形成されたボックス側開口１４が対向配置され、このポール側開口１３とボックス側開口１４とは合成樹脂等で形成されたパッキン部材１５を介して密閉状に連通接続される。ここで、ポール側開口１３及びボックス側開口１４は縦長の長孔状に形成され、これに対応する略リング状にパッキン部材１５が形成されている。しかも、前記箱本体２１とカバー蓋体２２との間にもパッキン片２４が介設されていて、ボックス３やポール本体２の内部への雨水の侵入は確実に防止される。
【００２９】
ボックス３では、箱本体２１の底板内面に前記ボックス側開口１４の上側と同ボックス側開口１４の両側とに各々木板２５ａ、２５ｂが配設固定されており、上側の木板２５ａには電力量計１１が取着固定され、片側の木板２５ｂには上から順に主幹ブレーカ１２ａ、分岐ブレーカ１２ｂ、コンセント４が取着固定されている。そして、ポール本体２の上端付近の電線引込口１からこのポール本体２の内部へと引き込まれた主電線５は、前記パッキン部材１５で周囲が密閉されたポール側開口１３及びボックス側開口１４を通して、同ポール本体２の内部からボックス３の内部へと導入配線される。
【００３０】
ボックス３の内部へと導入配線された主電線５は、前記電力量計１１及び主幹ブレーカ１２ａにこの順で接続された後、分岐線６ａ、６ｂに分岐される。そして、一方の分岐線６ａが前記コンセント４に接続され、他方の分岐線６ｂは、前記の如く、地中埋設配線１９を介して屋内配線７へと配線されている。又、図１、２、３に示す如く、前記コンセント４には引出線９の先端に設けられたプラグ８が差し込み接続される。
【００３１】
この場合、ポール本体２の上部には、支持具２６によって外付機器１６が取り付け支持されている。そして、この外付機器１６から接続導出される引出線９が、ポール本体２の上部周壁２ａに形成された電線引出口１０を通してこのポール本体２の内部へと導入配線されることにより、同引出線９の先端のプラグ８は、前記パッキン部材１５で周囲が密閉されたポール側開口１３及びボックス側開口１４を通し同ポール本体２の内部からボックス３の内部へと導入されてコンセント４に差し込み接続される。
【００３２】
又、その際、図４、５に示す如く、電線引出口１１はキャップ１８にて閉塞されているが、このキャップ１８に形成されたノックアウト孔１７を穿設開口させて、このノックアウト孔１７に引出線９が挿通される。すなわち、外付機器１６が取り付けられない場合には、電線引出口１１がキャップ１８にて閉塞されており、防水性は確保されるものである。又、前記コンセント４には複数の差し込み口が配設されていて、外付機器１６以外への電源供給も同コンセント４から可能であり、住宅敷地内で使用される屋外用の電気機具への電源供給も簡単に行われる。
【００３３】
したがって、この実施形態の電線引込ポールにおいては、電線引込口１から引き込まれた主電線５の分岐された一方の分岐線６ａがボックス３内に収容設置されたコンセント４に接続され、このコンセント４にプラグ８でもって接続される引出線９を外部へと引き出す電線引出口１０がポール本体２（又はボックス３）に形成されているので、同ポール本体２に防犯用等の外付機器１６を取り付け支持させることができるのはもちろんのこと、この外付機器１６への電源供給を同電線引出口１０から引き出される引出線９が同外付機器１６に接続されていることで、同コンセント４からプラグ８を介して簡単に受けることができる。
【００３４】
更に、前記コンセント４からは、必要に応じて別途プラグを介し前記外付機器１６以外にも電源供給することが可能であり、使い勝手は良好となる。又、前記引出線９の電線引出口１０から引き出される部分以外の電線は、ポール本体２或いはボックス３の内部に納められるので、ほとんどの配線が露出せず、保護され切断されるようなこともなくて安全である。しかも、前記主電線５の分岐された他方の分岐線６ｂは屋内配線７へと導出配線されるので、住宅敷地内へと同主電線５を引き込んで屋内へと配線することができ、その際に、ボックス３内に電源となるコンセント４を備えていることで、前記外付機器１６等への電源供給を屋内配線７から受ける必要はなく、配線工事が容易となる。
【００３５】
又、この実施形態の電線引込ポールにおいては、ボックス３内に収容設置される電力量計１１を経由した後に主電線５が分岐されているので、屋内での使用電力量に加え、同ボックス３内のコンセント４から電源供給して使用される電力量をも同電力量計で合わせて計測され、住宅居住者として全体の使用電力を一つの電力量計１１で正確に把握することができて便利である。又、この場合に、電力量計１１からボックス３内に収容設置される主幹ブレーカ１２ａを経由した後に主電線５が分岐されているので、屋内配線７及び同ボックス３内のコンセント４での使用電力オーバーを防止することができ、しかも、一方の分岐線６ａは同ボックス３内に収容設置される分岐ブレーカ１２ｂを介して同コンセント４に接続されているので、このコンセント４での使用電力オーバーを予備的に防止することができてより安全となる。
【００３６】
又、この実施形態の電線引込ポールにおいては、ポール側開口１３とボックス側開口１４とがパッキン部材１５を介して密閉状に連通接続されているので、ポール本体２及びボックス３の各内部へは雨水が侵入し難くなって、同内部での漏電やショートは防止され、安全性がより向上される。そして、ポール本体２の上部周壁２ａに電線引出口１０が形成されているので、引出線９をボックス３内から同ポール本体２内を導通させて同電線引出口１０から外部へと引き出し、この引き出された引出線９を同ポール本体２の上部に取り付けた外付機器１６に接続させておくことができる。
【００３７】
この場合、ポール本体２の上部に外付機器１６が取り付けられ、この外付機器１６への引出線９はそのほとんどが同ポール本体２内に納められるので、同外付機器１６が防犯用であるときに安全で有効となる。又、電線引出口１０がキャップ１８で閉塞されて防水性は確保され、前記引出線９を引き出す際に、同キャップ１８のノックアウト孔１７を開口させてこのノックアウト孔１７から同引出線９を外部へと容易に引き出すことができる。
【００３８】
図６は、本発明の請求項１〜４に対応した別の実施形態である電線引込ポールを示している。この実施形態の電線引込ポールでは、電線引出口１０をボックス３に形成している。この場合、ボックス３の箱本体２１の下側周板に、カバー蓋体２２との間で両側対に切欠状の電線引出口１０を配設形成している。
【００３９】
したがって、この実施形態の電線引込ポールにおいては、ボックス３内のコンセント４にプラグ８を介して接続される引出線９を、同ボックス３の外部下方へと引き出すことができる。この場合、ボックス３には二つの電線引出口１０が配設形成されているので、二本の引出線９を引き出すことができ、複数の電気機具に電源供給することができる。又、その際、電線引出口１０がボックス３の下側に位置しており、このボックス３のカバー蓋体２２を閉じておくこともできて、同ボックス３内への雨水の侵入は確実に防止される。なお、それ以外は、上記実施形態と同様に構成され、同上記実施形態におけると同様の作用効果が奏される。
【００４０】
又、本発明の電線引込ポールにおいては、上記二つの実施形態の構成を共に備えるものであっても良い。すなわち、電線引出口１０をポール本体２及びボックス３の両方に配設形成しても良い。この場合には、上記二つの実施形態における作用効果が共に奏されるようになり、使い勝手はより向上される。
【００４１】
【発明の効果】
上述の如く、本発明の請求項１記載の電線引込ポールにおいては、ポール本体に外付機器を取り付けることができ、この外付機器への電源供給をボックス内のコンセントからプラグを介して簡単に受けることができ、同コンセントからは必要に応じ別途に電源供給することも可能で使い勝手が良好となる。しかも、ほとんどの配線が露出せず、保護され切断されるようなこともなくて安全であり、住宅敷地内へと主電線を引き込んで屋内へと配線することもでき、その際、前記外付機器等への屋内配線からの電源供給は不要で配線工事が容易となる。
【００４２】
又、本発明の請求項２記載の電線引込ポールにおいては、特に、屋内での使用電力量に加え、ボックス内のコンセントから電源供給して使用される電力量をも電力量計で合わせて計測され、住宅居住者として全体の使用電力を同電力量計で正確に把握することができて便利である。
【００４３】
又、本発明の請求項３記載の電線引込ポールにおいては、特に、主幹ブレーカによって、屋内配線及びボックス内のコンセントでの使用電力オーバーを防止することができ、しかも、分岐ブレーカによって、同コンセントでの使用電力オーバーを予備的に防止することができてより安全となる。
【００４４】
又、本発明の請求項４記載の電線引込ポールにおいては、特に、パッキン部材によって、ポール本体及びボックスの各内部へ雨水が侵入し難くなり、同内部での漏電やショートは防止され、安全性がより向上される。
【００４５】
又、本発明の請求項５記載の電線引込ポールにおいては、特に、引出線をボックス内からポール本体内を導通させて電線引出口から外部へと引き出し、この引き出された引出線を同ポール本体の上部に取り付けた外付機器に接続させておくことができ、しかも、同引出線はそのほとんどが同ポール本体内に納められ、同外付機器が防犯用であるときに安全で有効となる。
【００４６】
又、本発明の請求項６記載の電線引込ポールにおいては、特に、キャップによって防水性が確保され、引出線を引き出す際には、同キャップのノックアウト孔を開口させてこのノックアウト孔から同引出線を外部へと容易に引き出すことができる。
【図面の簡単な説明】
【図１】本発明の一実施形態である電線引込ポールの施工状態を示す概略構成図。
【図２】同電線引込ポールを示す側面側からみた要部縦断面図。
【図３】同電線引込ポールを示す正面側からみた要部縦断面図。
【図４】同電線引込ポールにおいて外付機器が取り付けられていない状態を示す側面側からみた要部縦断面図。
【図５】同電線引込ポールにおいて外付機器が取り付けられていない状態を示す正面側からみた要部縦断面図。
【図６】別の実施形態である電線引込ポールを示す底面側からみた概略横断面図。
【図７】従来例である外付機器の施工状態を示す概略構成図。
【図８】別の従来例である電線引込ポールを示す側面側からみた要部縦断面図。
【図９】同電線引込ポールの施工状態を示す概略構成図。
【符号の説明】
１　電線引込口
２　ポール本体
３　ボックス
４　コンセント
５　主電線
６ａ　分岐線
６ｂ　分岐線
７　屋内配線
８　プラグ
９　引出線
１０　電線引出口
１１　電力量計
１２ａ主幹ブレーカ
１２ｂ分岐ブレーカ
１３　ポール側開口
１４　ボックス側開口
１５　パッキン部材
１６　外付機器
１７　ノックアウト孔
１８　キャップ
【図１】
2004088854.tif 000003
【図２】
2004088854.tif 000004
【図３】
2004088854.tif 000005
【図４】
2004088854.tif 000006
【図５】
2004088854.tif 000007
【図６】
2004088854.tif 000008
【図７】
2004088854.tif 000009
【図８】
2004088854.tif 000010
【図９】
2004088854.tif 000011